(57)【要約】本発明は、複数の消費可能な製品を封入および分配するためのパッケージアセンブリを提供する。パッケージアセンブリは、並んだ配置において複数の製品の取り出し可能な収容のために開口端を各々有する一対の製品ポケットを規定するパッケージハウジングを備える。ポケットの開口端は対向する方向に向いている。パッケージハウジングは、ハウジングを折り、かつ製品を分配するために角度が付けられた方向にポケットを配置するための、ポケットの開口端の間にある折り目を含む。ハウジングは、ポケットの上にあり、かつポケットを閉じるための少なくとも１つの開口可能なフラップをさらに規定する。【選択図】図１
2012531370.tif 000002
【特許請求の範囲】
【請求項１】
複数の消費可能な製品を封入および分配するためのパッケージアセンブリであって、
並んだ配置において複数の製品の取り出し可能な収容のために開口端を各々有する一対の製品ポケットを規定するパッケージハウジングであって、前記ポケットの前記開口端は対向する方向に向いている、パッケージハウジングを備え、
前記パッケージハウジングは、前記ハウジングを折り、かつ前記製品を分配するために角度が付けられた方向に前記ポケットを配置するための、前記ポケットの前記開口端の間にある折り目を含み、
前記ハウジングは、前記ポケットの上にあり、かつ前記ポケットを閉じるための少なくとも１つの開口可能なフラップをさらに規定する、パッケージアセンブリ。
【請求項２】
前記折り目は前記ハウジングの長手方向軸に沿って延びる、請求項１に記載のパッケージアセンブリ。
【請求項３】
前記ハウジングは、前記ポケットの上にあり、かつ前記ポケットを閉じるための第１および第２のフラップを含む、請求項１に記載のパッケージアセンブリ。
【請求項４】
前記第１のフラップは前記第２のフラップの上にある、請求項３に記載のパッケージアセンブリ。
【請求項５】
閉じた位置において、前記第１および第２のフラップを固定するために、前記第２のフラップは、該第２のフラップに形成されるスロットを含み、前記第１のフラップは前記スロットに挿入可能なタブを含む、請求項４に記載のパッケージアセンブリ。
【請求項６】
前記ハウジングは一対の対向する側壁を含み、前記側壁は前記ポケットの底壁を形成する、請求項１に記載のパッケージアセンブリ。
【請求項７】
前記折り目は、前記パッケージハウジングが、第１の部分および第２の部分へと分離されることができるように、ミシン目が付けられている、請求項１に記載のパッケージアセンブリ。
【請求項８】
ハウジングの第１の部分は、前記ハウジングの第１の部分上に配置される前記ポケットを覆う閉じた位置に、少なくとも１つのフラップを維持するための第１の閉じ部を含む、請求項７に記載のパッケージアセンブリ。
【請求項９】
ハウジングの第２の部分は、前記ハウジングの第２の部分上に配置される前記ポケットを覆う閉じた位置に、少なくとも１つのフラップを維持するための第２の閉じ部を含む、請求項８に記載のパッケージアセンブリ。
【請求項１０】
消費可能な製品のパッケージアセンブリであって、
複数の製品の取り出し可能な収容のために開口端を各々有する一対の製品ポケットを規定するパッケージハウジングを備え、
前記パッケージは、前記ハウジングを折るために、ポケットの開口端の間に配置された折り目を含み、前記ハウジングは、前記ポケットが共通の平面にある第１の位置と、前記ハウジングが前記折り目に沿って折られ、前記ポケットが互いに角度を付けてオフセットされた第２の位置とを有する、パッケージアセンブリ。
【請求項１１】
前記ハウジングは、前記ポケットの上にあり、かつ前記ポケットを閉じるための、第１の開口可能なフラップをさらに含む、請求項１０に記載のパッケージアセンブリ。
【請求項１２】
前記ポケットは各々、２つの対向する側壁および底壁によって境界された前壁を含み、前記前壁、側壁、および底壁はポケット内部を規定する、請求項１０に記載のパッケージアセンブリ。
【請求項１３】
前記ハウジングは後壁を含み、前記ポケットは前記後壁に固定され、折り目は前記後壁の幅に沿って延びている、請求項１０に記載のパッケージアセンブリ。
【請求項１４】
前記ハウジングは、前記ポケットの上にあり、かつ前記ポケットを閉じるための第１および第２のフラップを含む、請求項１０に記載のパッケージアセンブリ。
【請求項１５】
前記折り目は前記第１および第２のフラップの幅に沿って延びる、請求項１４に記載のパッケージアセンブリ。
【請求項１６】
前記折り目は、前記パッケージハウジングが、第１および第２の部分へと分離されることができるように、ミシン目が付けられており、ここで各々の部分は前記一対の製品のポケットのうちの１つを有する、請求項１０に記載のパッケージアセンブリ。
【請求項１７】
消費可能な製品のパッケージアセンブリであって、
複数の消費可能な製品ピースと、
複数の製品ピースの取り出し可能な収容のために開口端を各々有する第１の製品ポケットおよび第２の製品ポケットを規定するパッケージハウジングと
を備え、前記パッケージは、前記ハウジングを折るために、ポケットの開口端の間に配置された折り目を含み、前記ハウジングは、前記第１および第２のポケットが共通の平面にある第１の位置と、前記ポケットが互いに角度を付けてオフセットされた第２の位置とを有する、パッケージアセンブリ。
【請求項１８】
前記製品ピースは、前記ポケットの中で完全に配置された場合に、前記ポケットを越えて延びる、請求項１７に記載のパッケージアセンブリ。
【請求項１９】
前記ハウジングは、単一の一繋がりの材料から形成される、請求項１７に記載のパッケージアセンブリ。
【請求項２０】
前記製品ピースは第１の端および第２の端を有し、前記第１の端は前記ポケット内に配置され、前記第２の端は前記ポケットから延びる、請求項１７に記載のパッケージアセンブリ。
【請求項２１】
前記第１の製品ポケットは、２つの対向する側壁および底壁によって境界される前壁を含み、前記前壁、側壁、および底壁はポケット内部を規定する、請求項１７に記載のパッケージアセンブリ。
【請求項２２】
前記ハウジングは第１および第２のフラップを含み、前記第１および第２のフラップは、前記消費可能な製品ピースの上にあり、かつ前記消費可能な製品ピースを閉じるための第１の位置と、前記製品ピースが覆われず、分配のためにアクセス可能である第２の位置とを有する、請求項１７に記載のパッケージアセンブリ。
【請求項２３】
前記パッケージハウジングは、第１および第２の部分に分離可能であり、ここで各々の部分は前記一対の製品ポケットのうちの１つを有する、請求項１７に記載のパッケージアセンブリ。
【請求項２４】
前記パッケージハウジングは前記折り目に沿って分離可能である、請求項２３に記載のパッケージアセンブリ。
【請求項２５】
前記折り目は前記パッケージハウジングを、前記第１および第２の部分に分離することを容易にするために、ミシン目がつけられている、請求項２４に記載のパッケージアセンブリ。
【発明の詳細な説明】
【技術分野】
【０００１】
本出願は、２００９年６月２３日に出願の米国特許仮出願第６１／２６９，３２３号の優先権の利益を主張し、その開示は、あらゆる目的のために、全体において、本明細書中おいて、参照することにより援用される。
【０００２】
本発明は一般に、消費可能な製品を収容および分配するためのパッケージアセンブリに関する。より詳細には、本発明は、２つの離間した列でガムスラブを分配するためのパッケージに関する。
【背景技術】
【０００３】
従来技術において、チューインガムピース等の消費可能な製品が入った多くのパッケージが存在する。多くのこれらのパッケージは、消費者に対してパッケージを望ましいものとする、美的に優れかつ機能的な特徴の両方を提供する。特定の所望の特徴としては、パッケージの開口部分の上にあり、かつ分配するためにガムピースを露出するために開口可能である、美的に優れたデザインのパッケージングカバーが挙げられる。特定の機能的な特徴としては、ガムピースを都合良く個々に分配することができる、１つ以上の並べられたアレイにおいて、ガムピースを保持する機能を含むことが挙げられる。
【発明の概要】
【発明が解決しようとする課題】
【０００４】
消費者に対して、美的に優れて魅力的な外観を維持しつつ、優れた機能性を提供する改善されたガムパッケージングを提供することが所望される。
【課題を解決するための手段】
【０００５】
本発明は、複数の消費可能な製品を封入および分配するためのパッケージアセンブリを提供する。パッケージアセンブリは、並んだ配置において複数の製品の取り出し可能な収容のために開口端を各々有する一対の製品ポケットを規定するパッケージハウジングを備える。ポケットの開口端は対向する方向に向いている。パッケージハウジングは、ハウジングを折り、かつ製品を分配するために角度が付けられた方向にポケットを配置するための、ポケットの開口端の間にある折り目を含む。ハウジングは、ポケットの上にあり、かつポケットを閉じるための少なくとも１つの開口可能なフラップをさらに規定する。
【０００６】
本発明はまた、消費可能な製品のパッケージアセンブリを提供し、このパッケージアセンブリは、複数の製品の取り出し可能な収容のために開口端を各々有する一対の製品ポケットを規定するパッケージハウジングを備える。パッケージは、ハウジングを折るために、ポケットの開口端の間に配置された折り目を含む。ハウジングは、ポケットが共通の平面にある第１の位置と、ハウジングが折り目に沿って折られ、ポケットが互いに角度を付けてオフセットされた第２の位置とを有する。
【０００７】
本発明はさらに、複数の消費可能な製品ピースを含む、消費可能な製品のパッケージアセンブリを提供する。パッケージアセンブリは、複数の製品ピースの取り出し可能な収容のために開口端を各々有する第１の製品ポケットおよび第２の製品ポケットを規定するパッケージハウジングを備える。パッケージは、ハウジングを折るために、ポケットの開口端の間に配置された折り目を含む。ハウジングは、第１および第２のポケットが共通の平面にある第１の位置と、ポケットが互いに角度を付けてオフセットされた第２の位置とを有する。
【図面の簡単な説明】
【０００８】
【図１】図１は、閉じた状態において示された、本発明のパッケージアセンブリの上方斜視図である。
【図２】図２は、完全に開いた位置において、パッケージアセンブリを示す上方平面図である。
【図３】図３は、パッケージアセンブリからガムスラブを分配するための、折られた状態における図１のパッケージアセンブリを示す上方斜視図である。
【図４】図４は、図１のパッケージアセンブリが折られて示されている部分的な上方斜視図であり、パッケージアセンブリからガムスラブが分配されつつある。
【図５】図５は、図１のパッケージアセンブリを形成するために用いられる平坦なブランクの平面図である。
【図６】図６は、本発明の代替の実施形態の上方平面図であり、完全に開いた位置において、パッケージアセンブリを示している。
【図７】図７は、図６のパッケージアセンブリの代替の実施形態を形成するために用いられる平坦なブランクの平面図である。
【発明を実施するための形態】
【０００９】
本発明は、複数の製品、好ましくは消費可能な製品を包み込み、かつ分配するためのパッケージアセンブリを提供する。より詳細には、本発明は、ガムピース等の菓子製品を収容かつ分配するように設計されている。複数層化されたガムスラブは本発明の好適な実施形態において示されるが、本明細書に開示されるパッケージは、多くの形態において、ガムピース等の様々な消費可能な製品を分配するために用いられてよいことは理解され得る。本発明のパッケージアセンブリは、平板（スラブ）状、スティック状、ペレット状、ピロー状などを含んだ様々な形状でガムピースを入れ、かつ分配するように用いられてよいことが想定されている。さらに、包装されていないガムスラブが本明細書における好適な実施形態に示されており、個々のガムピースが包装されている場合または包装されていない場合は本発明の想定内である。
【００１０】
図１および図２を参照すると、本発明のパッケージアセンブリ１０は、パッケージハウジング１２と、２つの並んだアレイに配置された複数のガムスラブ１４とを含む。図示した本実施形態において、７個で２列のガムスラブが示されている。しかしながら、任意の数のガムスラブが本発明と組み合わされて用いられてもよいことは理解されてよい。ガムスラブは個々に包装されていてもよく、あるいは包装されていなくてもよい。
【００１１】
パッケージハウジング１２は、対の、端部が開口したポケット１８を支持する後壁１６を含む。ポケットは各々、離間し、かつ対向する方向に向いている開口端２０を含む。ポケット１８は各々、２つの対向する側壁１８ｂおよび底壁１８ｃによって境界された前壁１８ａを含む。前壁、側壁、および底壁は、ガムスラブを２列に収容するためのキャビティ１８ｄを規定する。ポケットの底壁１８ｃは、図１に示すように、スラブを支持し、かつパッケージハウジング１２の側壁を形成する。ポケット２０は、スラブの下側部分１４ｂを保持するのに十分に深く、さらに、スラブの上側部分１４ａを、分配するために露出させたままにしている（図４）。
【００１２】
一対のフラップ２２および２４が後壁１６の両端部から延びている。フラップは、ポケット内に含まれるガムスラブ１４を封入するために、後壁１６の反対にあるポケット１８の上で折ることができるように設計されている。図１に示すように、フラップ２２および２４は、フラップ２４の一部がフラップ２２の一部の下にある状態で、互いに重なっていてよい。フラップ２２は延長タブ２２ａを含み、フラップ２４は、閉じた状態において、フラップを維持するように、はめ合いスロット２４ａを含む。タブおよびスロットの様々な異なる構成は、本発明の想定内である。フラップを折って完全に閉じた位置にした場合、フラップは互いに重なり、フラップ内に保持されたポケットおよびガムスラブ１４は覆われる。フラップは各々、フラップが閉じた位置にある場合、パッケージハウジング１２の端壁を形成する後壁１６に隣接して配置されるセグメント２５を含む。
【００１３】
図１に示すように、中にガムピースを有するパッケージハウジング１２は、パッケージハウジングの中身を保護するために、除去可能な上包み２９で覆われてよい。ユーザは上包み２９を取り除いて、その中のポケット１８およびガムピース１８にアクセスしてよい。
【００１４】
図２から図４を参照すると、ガムスラブ１４を分配するためのパッケージハウジング１２の使用を示す。２つのフラップ２２および２４は、後壁１６と実質的に平面となる位置へと開かれる。図２に示す開いた位置において、ガムスラブ１４は覆われておらず、分配のためにアクセスすることができる。その後、パッケージハウジングは、図３および図４に示すように、ポケット１８の開口端２０の間に作られた折り目３０に沿って長手方向に折られてよい。折り目３０は、開かれたパッケージハウジング１２の長手方向軸Ｘ−Ｘと一列に並んでいてもよい。折り目は、パッケージハウジングを、略半分に分けて、第１の半分１２ａと第２の半分１２ｂとを形成してよい。ハウジング１２が折られると、ポケット１８は共通の平面から移動して、互いに対して角度を付けられた方向に配置される。図３に示すように、ポケット間の角度αは１８０度未満である。ハウジング１２は、折り目３０を中心にさらに折られてよく、その結果、製品は略並び、そしてポケット内で支持されているガムスラブ１４は相互に上方の位置に延びることが想定される。
【００１５】
図４に示すように、ポケット１８の角度のついた位置は、１つの列のガムスラブ１４の上側部分１４ａから隣接する列を分離させて、図４に示すように、１つ以上のガムスラブ１４をポケット１８から手動で分配することを可能にさせる。いったん所望の数のガムスラブがユーザに分配されると、図２に示すように、後壁は再び平らに戻すことができ、フラップ２２および２４は、タブ２２ａがスロット２４ａに配置された状態で、閉じた状態に折られることができて、それにより、図１に示すように、ガムスラブ１４を中に含んだままにする。
【００１６】
好ましくは、図５に示すように、パッケージハウジング１２は、板紙またはその複合材料を含む他の材料の、単一の一繋がりの平らなブランク５０から形成されてもよい。メインパネル５２は、後壁１６ならびにフラップ２２および２４を形成するために、折り目５４に沿って折られてよい。第１および第２のサイドパネル５６および５８は、メインパネル５２の両側から延びてよい。サイドパネル５６および５８は、ポケット１８を形成するために、後壁１６の上に折られてよい。サイドパネルは各々、ポケット１８を適切な位置に固定するために、折られて後壁１６に接着されてよい、一対のタブ６０を含んでよい。長手方向の折り目３０は、ブランク５０の長さ全体に沿って延びていてよい。
【００１７】
本発明の代替の実施形態を図６および図７に示す。特に図６を参照すると、パッケージアセンブリ７０は、パッケージハウジング７２と、２つの並んだアレイに配置された複数のガムスラブ７４を含む。本実施形態は、上述の実施形態と類似しており、かつ、ガムスラブ７４を保持するために、離間し、対向する方向に向いている、開口端７７を有するポケット７６を含む。一対のフラップ８０および８２は後壁７８の両側端部から延びている。フラップは、ポケット内に含まれるガムスラブ７４を封入するために、後壁７８の反対にあるポケット７６の上で折られることができるように設計されている。
【００１８】
図６をさらに参照すると、図１から図５に示す前述の実施形態に類似するように、パッケージハウジング７２は、ポケット７６の開口端７７の間で作られる折り目８４に沿って長手方向に折られてよい。折り目８４は、開かれたパッケージハウジング７２の長手方向軸Ｘ−Ｘと一列に並んでいてもよい。折り目は、パッケージハウジングを、略半分に分けて、第１の半分７２ａおよび第２の半分７２ｂとを形成してよい。折り目８４に沿ってパッケージハウジング７２を折ることで、上述の方法と同様に、ガムスラブ７４の分配を支援する。
【００１９】
図６に示す代替的な実施形態において、折り目８４には、ユーザがパッケージハウジングの第１の半分７２ａを第２の半分７２ｂから長手方向に切り離すことができるように、ミシン目があけられている。従って、ユーザはパッケージハウジング７２を分離して、各々がガムスラブを保持するためのポケットを有する、２つのより小さいパッケージを作成してよい。これは、ユーザがパッケージの一方を他人に分け与えたい場合に所望され得る。さらに、ガムスラブが１つのポケットから完全に取り出された後に、空のパッケージハウジングの半分は切り離されて捨てられてもよい。残りのガムスラブは、それゆえ、保管およびアクセスがより容易となる、より小さいパッケージに保持され得る。
【００２０】
各々のパッケージングハウジングの半分７２ａおよび７２ｂを閉じることができるように、フラップ８０および８２は２つの閉じ部を含んでよく、一方は、パッケージハウジングの第１の半分７２ａに配置され、もう一方は、パッケージハウジングの第２の半分７２ｂに配置される。第１の半分の閉じ部は、フラップ８０から延びる第１のタブ８６と、フラップ８２に形成された第１のスロット８８とを含んでよい。第２の半分の閉じ部は、フラップ８０から延びる第２のタブ９０と、フラップ８２に形成された第２のスロット９２とを含んでよい。パッケージの半分が別々となった場合、フラップはガムスラブの上で折られてよく、タブは各々のスロットに挿入され得て、閉じた位置においてフラップを保持する。タブの１つ、例えば第１のタブ８６は、他のタブよりも大きくてもよく、対応の第１のスロット８８と共に用いられてよく、両方のパッケージハウジングの半分７２ａおよび７２ｂが共に固定された場合に、フラップを共に維持する。第２のスロット９２はミシン目によって形成されていてもよい。第２のスロット９２は、パッケージハウジングの半分が分離された後に、ユーザによって開かれ、ユーザが第２のスロット９２を第２のタブ９０に固定するために使用することを所望すると、閉じた位置にパッケージの半分が保持される。
【００２１】
図７を特に参照すると、パッケージハウジング７２は、単一の一繋がりのブランク９４から形成されてよい。ブランク９４は、図５および上述に示したブランク５０に類似するように、折り目９６を中心にして折られてよい。ミシン目のあけられた折り目８４はブランク９４の長さに沿って延びる。
【００２２】
上述および図示した構造に対する様々な変更がここで当業者に対して明らかとなるであろう。従って、本発明の特に開示された範囲は以下の特許請求の範囲において説明される。
【図１】
2012531370.tif 000003
【図２】
2012531370.tif 000004
【図３】
2012531370.tif 000005
【図４】
2012531370.tif 000006
【図５】
2012531370.tif 000007
【図６】
2012531370.tif 000008
【図７】
2012531370.tif 000009
【国際調査報告】
2012531370.tif 000010